【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
空気注入式スポーツ用ボールを製造する方法において、
第１の材料から複数の外側パネル部を取り出すステップであって、該複数の外側パネル部の各々が第１の形状と第１の寸法とを有する、複数の外側パネル部を取り出すステップと、
第２の材料から複数の内側パネル部を取り出すステップであって、該複数の内側パネル部の各々が第１の形状と、第１の寸法よりも小さい第２の寸法とを有する、複数の内側パネル部を取り出すステップと、
上記複数の外側パネル部と複数の内側パネル部をそれぞれの周縁の接合箇所に沿って継ぎ合わせることにより複数のパネルセグメントを形成するステップであって、各パネルセグメントにおける上記複数の外側パネル部のうちの１つの外側パネル部の周縁と上記複数の内側パネル部のうちの１つの内側パネル部の周縁とが整列し、かつ各パネルセグメントの外側パネル部の周縁と内側パネル部の周縁とが上記接合箇所において重なり合うように、継ぎ合わせることにより複数のパネルセグメントを形成するステップと、
整列した上記周縁に沿って上記複数のパネルセグメントを一体に繋ぎ合わせることにより該空気注入式スポーツ用ボールのカバーを形成するステップと、
上記カバーの内側に、収縮した状態の空気注入式ブラダを設けるステップと、
上記空気注入式ブラダを完全に膨張した状態になるまで膨張させるステップと、
を含み、
第１の寸法は、上記複数の外側パネル部の各々の長軸に沿った長手方向の第１の長さと、上記複数の外側パネル部の各々の短軸に沿った横方向の第１の幅とを有し、
第２の寸法は、上記複数の内側パネル部の各々の長軸に沿った長手方向の第２の長さと、上記複数の内側パネル部の各々の短軸に沿った横方向の第２の幅とを有し、
第２の長さは第１の長さよりも短く、第２の幅は第１の幅よりも短く、
上記空気注入式ブラダが収縮した状態においては、上記外側パネル部の内面と上記内側パネル部の上面とが第１の距離だけ離れており、
上記空気注入式ブラダが完全に膨張した状態においては、上記外側パネル部の内面と上記内側パネル部の上面とが接触していることを特徴とする方法。
【請求項２】
第１の長さと第２の長さとの差が、第１の幅と第２の幅との差にほぼ等しいことを特徴とする請求項１に記載の方法。
【請求項３】
第１の長さと第２の長さとの差が、第１の幅と第２の幅との差よりも小さいことを特徴とする請求項１に記載の方法。
【請求項４】
上記継ぎ合わせることにより複数のパネルセグメントを形成するステップは、各外側パネル部が各内側パネル部の中央から外方へ張り出すように各外側パネル部に凹面を形成することを含む請求項１に記載の方法。
【請求項５】
上記凹面は、上記内側パネル部から第１の距離だけ離れた位置に形成されることを特徴とする請求項４に記載の方法。
【請求項６】
第１の距離は、第１の寸法と第２の寸法との間の差にほぼ等しいことを特徴とする請求項５に記載の方法。
【請求項７】
上記継ぎ合わせることにより複数のパネルセグメントを形成するステップは、第１の内側パネル部の周縁と第１の外側パネル部の周縁のうちの少なくとも一方に沿って接着剤を塗布することを含む請求項１に記載の方法。
【請求項８】
空気注入式スポーツ用ボールを製造する方法において、
第１の材料から第１の外側パネル部を取り出すステップであって、該第１の外側パネル部が第１の形状と、第１の寸法とを有する、第１の外側パネル部を取り出すステップと、
第２の材料から第１の内側パネル部を取り出すステップであって、該第１の内側パネル部が第１の形状と、第１の寸法よりも小さい第２の寸法とを有する、第１の内側パネル部を取り出すステップと、
第１の形状を有するとともに、第２の寸法とほぼ等しい内側の寸法を有するアラインメントガイドを用意するステップと、
第１の内側パネル部の周縁が上記アラインメントガイドの内壁面に隣接するように、上記アラインメントガイドの内側に第１の内側パネル部を配置するステップと、
第１の外側パネル部の周縁が上記アラインメントガイドの内壁面に押し付けられるように、上記アラインメントガイドの内側に第１の外側パネル部を配置するステップと、
第１の外側パネル部と第１の内側パネル部をそれぞれの周縁間の接合箇所に沿って継ぎ合わせることによりパネルセグメントを形成するステップであって、該パネルセグメントにおける第１の外側パネル部の周縁と第１の内側パネル部の周縁とが整列し、かつ第１の外側パネル部の周縁と第１の内側パネル部の周縁とが上記接合箇所において重なり合うように、継ぎ合わせることによりパネルセグメントを形成するステップと、
整列した上記周縁に沿って複数のパネルセグメントを一体に繋ぎ合わせることにより該空気注入式スポーツ用ボールのカバーを形成するステップと、
上記カバーの内側に、収縮した状態の空気注入式ブラダを設けるステップと、
を含み、
上記空気注入式ブラダが収縮した状態においては、第１の外側パネル部の内面と第１の内側パネル部の上面とが第１の距離だけ離れており、
上記空気注入式ブラダが完全に膨張した状態においては、第１の外側パネル部の内面と第１の内側パネル部の上面とが接触していることを特徴とする方法。
【請求項９】
第１の寸法は、第１の外側パネル部の長軸に沿った長手方向の第１の長さと、第１の外側パネル部の短軸に沿った横方向の第１の幅とを有し、
第２の寸法は、第１の内側パネル部の長軸に沿った長手方向の第２の長さと、第１の内側パネル部の短軸に沿った横方向の第２の幅とを有し、
第２の長さは第１の長さよりも短く、第２の幅は第１の幅よりも短いことを特徴とする請求項８に記載の方法。
【請求項１０】
上記継ぎ合わせることによりパネルセグメントを形成するステップは、第１の内側パネル部の周縁と第１の外側パネル部の周縁のうちの少なくとも一方に沿って接着剤を塗布することを含み、
上記接着剤は、上記一体に繋ぎ合わせることにより該空気注入式スポーツ用ボールのカバーを形成するステップがなされるまで、第１の外側パネル部の周縁と第１の内側パネル部の周縁とを暫定的に整列させるように構成されていることを特徴とする請求項８に記載の方法。
【請求項１１】
第１の材料は皮革を含み、第２の材料は柔軟な繊維を含むことを特徴とする請求項８に記載の方法。
【請求項１２】
上記継ぎ合わせることによりパネルセグメントを形成するステップは、第１の外側パネル部が第１の内側パネル部から外方へ張り出すように第１の外側パネル部に凹面を形成することを含む請求項８に記載の方法。
【請求項１３】
上記凹面は、第１の内側パネル部から第１の距離だけ離れた位置に形成されることを特徴とする請求項１２に記載の方法。
【請求項１４】
空気注入式スポーツ用ボールを製造する方法において、
第１の材料から複数の外側パネル部を取り出すステップであって、該複数の外側パネル部の各々が第１の形状と第１の寸法とを有し、第１の材料は皮革を含む、複数の外側パネル部を取り出すステップと、
第２の材料から複数の内側パネル部を取り出すステップであって、該複数の内側パネル部の各々が第１の形状と、第１の寸法よりも小さい第２の寸法とを有し、第２の材料は柔軟な繊維を含む、複数の内側パネル部を取り出すステップと、
上記複数の外側パネル部と上記複数の内側パネル部をそれぞれの周縁の接合箇所に沿って継ぎ合わせることにより複数のパネルセグメントを形成するステップであって、各パネルセグメントにおける上記複数の外側パネル部のうちの１つの外側パネル部の周縁と上記複数の内側パネル部のうちの１つの内側パネル部の周縁とが整列し、かつ各パネルセグメントの外側パネル部の周縁と内側パネル部の周縁とが上記接合箇所において重なり合うように、継ぎ合わせることにより複数のパネルセグメントを形成するステップと、
整列した上記周縁に沿って上記複数のパネルセグメントを一体に繋ぎ合わせることにより該空気注入式スポーツ用ボールのカバーを形成するステップと、
を含む方法。
【請求項１５】
該方法は、
上記カバーの内側に、収縮した状態の空気注入式ブラダを設けるステップと、
上記空気注入式ブラダを完全に膨張した状態になるまで膨張させるステップと、
をさらに含み、
上記空気注入式ブラダが収縮した状態においては、上記外側パネル部の内面と上記内側パネル部の上面とが第１の距離だけ離れており、
上記空気注入式ブラダが完全に膨張した状態においては、上記外側パネル部の内面と上記内側パネル部の上面とが接触していることを特徴とする請求項１４に記載の方法。